(57)【要約】【課題】  サンダーにおいて、片手による操作、および両手による操作を合理的に行う上で有効な把持部の構築技術を提供する。【解決手段】  モータと、本体部１０３と、研磨部１０５と、把持部１０７と、を有するサンダーにおいて、把持部１０７は、本体部１０３の長軸上に設けられた第１の把持領域１０７Ａと、第１の把持領域１０７Ａに連接されて本体部１０３の長軸方向と交差する方向でかつ互いに反対方向へと延在する第２および第３の把持領域１０７Ｂ，１０７Ｃとを有する。各把持領域１０７Ａ，１０７Ｂ，１０７Ｃを連接する方向に見て第２および第３の把持領域１０７Ｂ，１７Ｃの横幅が第１の把持領域１０７Ａの横幅よりも短く設定されており、第１の把持領域１０７Ａが、作業者の片手による把持を許容し、第２および第３の把持領域１０７Ｂ，１０７Ｃが、作業者の両手による把持を許容するように構成されている。【選択図】  図１
2008284657.tif 000002
【特許請求の範囲】
【請求項１】
モータと、
前記モータを収容する本体部と、
前記本体部の長軸方向の一端側に配置され、前記モータによって駆動されることで研磨作業を行う研磨部と、
前記本体部の前記研磨部と反対側に形成された作業者が把持する把持部と、を有するサンダーであって、
前記把持部は、
前記本体部の長軸上に設けられた第１の把持領域と、
前記第１の把持領域に連接されて前記本体部の長軸方向と交差する方向に延在する第２の把持領域と、
前記第２の把持領域と反対側において、前記第１の把持領域に連接されて前記本体部の長軸方向と交差する方向に延在する第３の把持領域と、を有し、
前記各把持領域を連接する方向に見て前記第２および第３の把持領域の横幅が前記第１の把持領域の横幅よりも短く設定されており、
前記第１の把持領域が片手による把持を許容し、前記第２および第３の把持領域が両手による把持を許容するように構成されていることを特徴とするサンダー。
【請求項２】
請求項１に記載のサンダーであって、
前記第１の把持領域は、前記各把持領域を連接する方向に見て両側面部が外側に突き出る曲面によって形成されていることを特徴とするサンダー。
【請求項３】
請求項１または２に記載のサンダーであって、
前記第２および第３の把持領域の少なくとも一方は、前記各把持領域を連接する方向に延在する棒状に形成されていることを特徴とするサンダー。
【請求項４】
請求項１〜３のいずれか１つに記載のサンダーであって、
前記第１の把持領域と前記第２の把持領域との連接部分、および前記第１の把持領域と前記第３の把持領域との連接部分の少なくとも一方は、前記各把持領域を連接する方向に見て両側面部が内側に凹む曲面によって形成されていることを特徴とするサンダー。
【請求項５】
請求項１〜４のいずれか１つに記載のサンダーであって、
前記第１、第２および第３の把持領域は、当該第１、第２および第３の把持領域を連接する方向に見て左右対称形状に形成されていることを特徴とするサンダー。
【発明の詳細な説明】
【技術分野】
【０００１】
本発明は、研磨作業に使用されるサンダーに関する。
【背景技術】
【０００２】
研磨作業に用いられるサンダーは、例えば特開２００５−２７９８９１号公報（特許文１）に開示されている。公報に記載のサンダーは、モータを収容する本体部としてのモータハウジングと、モータハウジングの下部側に配置されるとともにモータによって駆動される研磨部と、モータハウジングの上部側に形成された作業者が把持する把持部と、を主体として構成されている。把持部は、手のひらと概ね同じ大きさに形成され、作業者が片手で把持し易いように上から見て概ね楕円形に形成されている。公報に記載のサンダーは、把持部を片手で把持し、研磨部を被加工材に押し当てながら加工面に沿って滑らせるといった操作を基本形態とするものであるが、長時間の研磨作業で疲れた場合、あるいは研磨部の研磨面を被加工材に強く押し当てて研磨作業をしたい場合等を考慮し、把持部の下方において、モータハウジングに補助把持部を設定し、これら把持部と補助把持部とを把持しての両手による操作を可能としている。
【０００３】
しかしながら、従来のサンダーの場合、特に把持部の下方に設定された補助把持部については、設定場所の関係から形状の設計に関する自由度が低く、把持し易い形状の設定が難しいという問題があり、この点でなお改良の余地がある。
【特許文献１】特開２００５−２７９８９１号公報
【発明の開示】
【発明が解決しようとする課題】
【０００４】
本発明は、かかる点に鑑み、サンダーにおいて、片手による操作、および両手による操作を合理的に行う上で有効な把持部の構築技術を提供することを目的とする。
【課題を解決するための手段】
【０００５】
上記課題を達成するため、本発明に係るサンダーの好ましい形態は、モータと、モータを収容する本体部と、本体部の長軸方向の一端側に配置され、モータによって駆動されることで研磨作業を行う研磨部と、本体部の研磨部と反対側に形成された作業者が把持する把持部と、を有する。なお、本発明における「形成された」とは、本体部に対し把持部が一体に形成される態様、あるいは別々に形成した本体部と把持部とを接合する態様のいずれも好適に包含する。そして把持部は、本体部の長軸上に設けられた第１の把持領域と、第１の把持領域に連接されて本体部の長軸方向と交差する方向に延在する第２の把持領域と、第２の把持領域と反対側において、第１の把持領域に連接されて本体部の長軸方向と交差する方向に延在する第３の把持領域と、を有する構成とされる。また、各把持領域を連接する方向に見て第２および第３の把持領域の横幅が第１の把持領域の横幅よりも短く設定されており、第１の把持領域が、片手による把持を許容し、第２および第３の把持領域が、両手による把持を許容するように構成されている。なお、本発明における「連接」とは、第１の把持領域に対し第２の把持領域および第３の把持領域が一体に連なっている態様、あるいは別々に形成した後で接合する態様のいずれも好適に包含する。
【０００６】
本発明に係るサンダーの好ましい形態によれば、把持部は、第１、第２および第３の把持領域を有する。そして第１の把持領域は、本体部の長軸上に設定されるとともに、片手による把持を許容する構成とされる。従って、作業者は、片手でサンダーを操作する場合には、第１の把持領域を把持した状態での操作となるが、第１の把持領域が本体部の長軸上にあることで、研磨部を被加工材に押し当てる際、本体部の長軸線に沿って力を加えることができる。このため、研磨部に対して押圧力を効率よく作用させることが可能となり、研磨作業を容易に行うことができる。
また、各把持領域を連接する方向に見て第２および第３の把持領域の横幅が第１の把持領域の横幅よりも短く設定されている。このため、第１の把持領域を片手で把持する際、第２および第３の把持領域が邪魔にならず、当該第１の把持領域を手のひら全体で包み込む（被せる）形で把持することが可能となる。
また、第２および第３の把持領域は、第１の把持領域に連接されるとともに、互いに反対方向であって、かつ本体部の長軸方向と交差する方向に延在されている。このような配置とすることで、第２および第３の把持領域については、その形状を本体部の干渉を受けることなく自由に設計することが可能となる。つまり、把持し易さや滑り難さを考慮して第１および第２の把持領域の形状を設定できる。また、第２および第３の把持領域は、第１の把持領域を間にして互いに反対方向に延びる配置、すなわち研磨部の中心に相当する本体部の長軸線を挟んで前後あるいは左右に配置する構成のため、被加工材に研磨部を押し当てる際、力をバランスよく加えることができる。
【０００７】
本発明に係るサンダーの更なる形態によれば、第１の把持領域は、各把持領域を連接する方向に見て両側面部が外側に突き出る曲面によって形成されている。なお、本発明における「両側面部が外側に突き出る曲面」とは、第１の把持領域を本体部の軸方向から見たとき（サンダーを水平面上に置いた状態で上から見たとき）、第１の把持領域の第２および第３の把持領域との連接部分以外の箇所、すなわち側面部分の外形ラインが、例えば楕円形の長軸方向の曲面によって形成されている態様がこれに該当する。すなわち、本発明によれば、第１の把持領域を概ね楕円形に形成することにより、当該第１の把持領域を手のひらで包むようにして把持することが可能となり、把持し易く、かつ滑り難いものとなる。
【０００８】
本発明に係るサンダーの更なる形態によれば、第２および第３の把持領域の少なくとも一方は、各把持領域を連接する方向に延在する棒状に形成されている。なお、本発明における「棒状」とは、断面形状が円形、楕円形あるいは多角形等のいずれも好適に包含する。本発明によれば、把持領域を棒状に形成することにより、手の指を内側に曲げて当該把持領域を握り締めるといった形で把持できる。このため、研磨部を被加工材から引き離す方向に力を加えるような場合、あるいはサンダーを持運ぶような場合に便利である。
【０００９】
本発明に係るサンダーの更なる形態によれば、第１の把持領域と第２の把持領域との連接部分、および第１の把持領域と第３の把持領域との連接部分の少なくとも一方は、各把持領域を連接する方向に見て両側面部が内側に凹む曲面によって形成されている。なお、本発明における「両側面部が内側に凹む曲面」とは、典型的には、「窪み」あるいは「括れ」がこれに該当する。このように、本発明によれば、第２および第３の把持領域の少なくとも一方が第１の把持領域に対して凹状の曲面を介して連接する構成とすることで、第１の把持領域を手のひらで包むように把持する際、手指の、特に親指と人差し指が凹状の曲面、すなわち窪み（あるいは括れ）に引っ掛かる。つまり指の掛かりができるため、研磨作業のために研磨部を被加工材に沿って滑らせるように移動する場合等に手指が滑り難く、楽に操作することができる。
【００１０】
また、本発明に係るサンダーの更なる形態によれば、第１、第２および第３の把持領域は、各把持領域を連接する方向に見て左右対称形状に形成されている。このように左右対称形状に形成することにより、作業者の利き手が左右いずれであっても同様に使用することができる。
【発明の効果】
【００１１】
本発明によれば、サンダーにおいて、片手による操作、および両手による操作を合理的に行う上で有効な把持部の構築技術が提供されることとなった。
【発明を実施するための最良の形態】
【００１２】
以下、本発明の実施形態につき、図１〜図６を参照しつつ詳細に説明する。図１はサンダーの外観の全体構成を示す斜視図である。図２は同じく平面図であり、図３は図２のＡ矢視図であり、図４は図２におけるＢ矢視図である。また、図５はサンダーの把持部を片手で把持する態様を示し、図６はサンダーの把持部を両手で把持する態様を示す。
図１に示すように、本実施の形態に係るサンダー１０１は、モータ（便宜上、図示を省略する）と、モータを収容するモータハウジング１０３と、モータハウジング１０３の長軸方向の一端側に配置される研磨部１０５と、モータハウジング１０３の研磨部１０５と反対側に配置された作業者が把持する把持部１０７とを主体として構成される。モータハウジング１０３は、本発明における「本体部」に対応する。なお、説明の便宜上、研磨部１０５側を下、把持部１０７側を上という。また、図１において、Ｆ矢印方向を前、Ｒ矢印方向を後という。
【００１３】
モータハウジング１０３は、下部側に形成された略方形状の方形収容部１０３ａと、方形収容部１０３ａの上方に形成された当該方形収容部１０３ａよりも小さい略円形状の円筒収容部１０３ｂとを有する筒状体からなり、方形収容部１０３ａの下端が開口され、円筒収容部１０３ｂの上端が開口されている。このように、モータハウジング１０３は、長軸方向の両端がそれぞれ開口された構成とされる。
【００１４】
研磨部１０５は、モータハウジング１０３の下方に配置された略方形状の板状部材からなり、その底面にサンドペーパー等が装着されることで研磨面を形成する。研磨部１０５は、モータの出力軸から偏心した位置で軸止されており、モータにより駆動され、偏心運動を行うように構成されている。従って、研磨部１０５の研磨面を被加工材に押し当てた状態で研磨部１０５を駆動し、研磨作業を遂行することができる。なお、研磨部１０５の偏心運動に関する駆動構成については、公知の事項ゆえ詳細な説明を省略する。
【００１５】
把持部１０７は、片手操作用としての中央把持領域１０７Ａと、両手操作用として当該中央把持領域１０７Ａに対し一体に連接（接続）された前後で２つの端部把持領域１０７Ｂ，１０７Ｃを有する。そして、一方（後側）の端部把持領域１０７Ｃには、作業者により操作されるモータ駆動用のスイッチ１０９、およびモータに電力を供給する電源コードの引出口１１１がそれぞれ設けられている。中央把持領域１０７Ａは、本発明における「第１の把持領域」に対応し、２つの端部把持領域１０７Ｂ，１０７Ｃは、本発明における「第２および第３の把持領域」に対応する。
【００１６】
中央把持領域１０７Ａおよび２つの端部把持領域１０７Ｂ，１０７Ｃは、その全体にわたって内部空間を有する中空状に形成されており、中央把持領域１０７Ａの内部空間によってモータの上部分を収容している。中央把持領域１０７Ａは、モータハウジング１０３の真上、つまり長軸上に形成されており、その外周部にはモータ冷却用の外気を内部空間に導入するための複数の吸気口１１３を有する。２つの端部把持領域１０７Ｂ，１０７Ｃは、中央把持領域１０７Ａからモータハウジング１０３の長軸方向と交差する前後方向（研磨面と平行な方向）に概ね水平状に延在されている。すなわち、中央把持領域１０７Ａおよび２つの端部把持領域１０７Ｂ，１０７Ｃは、前後方向において水平状に連接され、中央把持領域１０７Ａを挟んで２つの端部把持領域１０７Ｂ，１０７Ｃが互いに反対方向へと延在された構成とされるとともに、各把持領域１０７Ａ，１０７Ｂ，１０７Ｃを連接する方向に見て左右対称形に形成されている。なお、以下の説明では、説明の便宜上、電源コードが装着される側の端部把持領域１０７Ｃを後側の端部把持領域といい、反対側の端部把持領域１０７Ｂを前側の端部把持領域という。
【００１７】
中央把持領域１０７Ａは、図２に示すように、上から見て前後方向に長い概ね楕円形状に形成されている。中央把持領域１０７Ａは、各把持領域１０７Ａ，１０７Ｂ，１０７Ｃを連接する方向に見て左右の両側面部１０７Ａａが外側に突き出る曲面によって形成されるとともに、上面が中央部を最も高い頂点とする緩やかな球面状に形成されている。また、中央把持領域１０７Ａの両側面部１０７Ａａは、上下方向に見ても外側に突き出る曲面によって形成されている（図４参照）。つまり、中央把持領域１０７Ａの両側面部１０７Ａａは、概ね球面状に形成されている。
【００１８】
前側の端部把持領域１０７Ｂは、図２に示すように、上から見て概ね半円形状に形成されるとともに、各把持領域１０７Ａ，１０７Ｂ，１０７Ｃを連接する方向に見てその横幅が中央把持領域１０７Ａの横幅よりも短く形成されている。また、前側の端部把持領域１０７Ｂと中央把持領域１０７Ａとの連接部分（前側の端部把持領域１０７Ｂの付根部分）は、各把持領域１０７Ａ，１０７Ｂ，１０７Ｃを連接する方向に見て左右の両側面部が内側に凹む曲面（球面）によって形成されている。すなわち、前側の端部把持領域１０７Ｂと中央領域１０７Ａとの連接側面部には、窪み１１５が形成されている。
【００１９】
後側の端部把持領域１０７Ｃは、所定長さで水平状に延在する断面略六角形の棒状（グリップ状）に形成されるとともに、その延在方向に見てその横幅が中央把持領域１０７Ａの横幅よりも短く平成されている。また、後側の端部把持領域１０７Ｃと中央把持領域１０７Ａとの連接部分（後側の端部把持領域１０７Ｃの付根部分）は、各把持領域１０７Ａ，１０７Ｂ，１０７Ｃを連接する方向に見て左右の両側面部が内側に凹む曲面（球面）によって形成されている。すなわち、前側の端部把持領域１０７Ｃと中央把持領域１０７Ａとの連接側面部には、窪み１１７が形成されている。
【００２０】
本実施の形態に係るサンダー１０１は、上記のように構成したものであり、次にその使用方法につき説明する。スイッチ１０９を操作してモータを回転させると、研磨部１０５が偏心運動を行う。研磨部１０５を被加工材に押し当てることにより、当該被加工材に対し所定の研磨作業を行うことができる。
【００２１】
上記の研磨作業時において、本実施の形態に係るサンダー１０１は、作業者の片手による操作と両手による操作が可能である。片手による操作は、把持部１０７の中央把持領域１０７Ａを把持して行う。片手による把持状態が図５に示される。図示のように、作業者は、利き手、例えば右手で中央把持領域１０７Ａを手のひら全体で上方から包み込む（被せる）ように把持する。このとき、中央把持領域１０７Ａが研磨部１０５の概ね中心部に相当するモータハウジング１０３の長軸線上にあることで、研磨部１０５を被加工材に押し当てる際、モータハウジング１０３の長軸線に沿って力を加えることができる。従って、研磨部１０５の研磨面全体を被加工材に均等に押し当てることができ、研磨作業を効率よく行うことができる。
【００２２】
また、中央把持領域１０７Ａは、概ね楕円形に形成されているため、手のひら全体で把持する際、掴み易く、かつ滑り難いものとなるとともに、前後の端部把持領域１０７Ｂ，１０７Ｃの横幅を中央把持領域１０７Ａの横幅より短く形成してあるため、中央把持領域１０７Ａを掴む際、前後の端部把持領域１０７Ｂ，１０７Ｃが邪魔にならない。
特に、本実施の形態では、中央把持領域１０７Ａと前後の端部把持領域１０７Ｂ，１０７Ｃとの連接部における両側面部に窪み１１５，１１７を設けてあるため、親指と人差し指の引っ掛かりができる。このため、研磨作業のために研磨部１０５の研磨面を被加工材に沿って滑らせるような場合等に、手指が滑り難くなり、楽に操作することができる。
【００２３】
一方、両手による操作は、把持部１０７における前側の端部把持領域１０７Ｂと後側の端部把持領域１０７Ｃを把持して行う。両手による把持状態が図６に示される。図示のように、作業者は、例えば右手で後側の端部把持領域１０７Ｃを把持し、左手で前側の端部把持領域１０７Ｂを把持する。このとき、後側の端部把持領域１０７Ｃは、棒状（グリップ状）に形成されているため、指を内側に曲げるようにして把持する、すなわち握り締めるといった形で把持できる。このため、研磨部１０５を被加工材に押し付ける方向、あるいは引き離す方向、さらには前後左右の方向、つまり全方向に楽に力を加えることができる。一方、前側の端部把持領域１０７Ｂは、略半円形状に形成されているため、手の腹を端部把持領域１０７Ｂの上面に置き、指先が端部把持領域１０７Ｂの前方下面側に回り込むようにして把持することができる。
【００２４】
本実施の形態によれば、前後の端部把持領域１０７Ｂ，１０７Ｃが中央把持領域１０７Ａに対し互いに反対方向であって、かつモータハウジング１０３の長軸方向（上下方向）と交差する水平方向に延在されている。このような配置とすることで、前後の端部把持領域１０７Ｂ，１０７Ｃについては、その形状をモータハウジング１０３の干渉を受けることなく自由に設計することが可能となる。つまり、前後の端部把持領域１０７Ｂ，１０７Ｃの形状については、把持し易さや滑り難さ等を考慮して設定できる。
【００２５】
また、前後の端部把持領域１０７Ｂ，１０７Ｃは、中央把持領域１０７Ａを間にして互いに反対方向に延びる配置、すなわちサンダー１０１の中心に相当するモータハウジング１０３の長軸線を挟んで互いに反対側に配置する構成のため、被加工材に研磨部１０５を押し当てる際、力をバランスよく加えることができる。
また、各把持領域１０７Ａ，１０７Ｂ，１０７Ｃは、前後方向に見て左右対称形に形成されている。このように左右対称形に形成することにより、作業者の利き手が左右いずれであっても同様に使用することができる。
【００２６】
また、本実施の形態においては、中央把持領域１０７Ａおよび前後の端部把持領域１０７Ｂ，１０７Ｃによって構成される把持部１０７は、電源コードが装着される後側の端部把持領域１０７Ｃの後端部以外の領域、すなわち中央把持領域１０７Ａ、前側の端部把持領域１０７Ｂ、および後側の端部把持領域の大部分が、研磨部１０５の研磨面の投影面内に収まるような大きさに設定されている。このため、研磨作業時において、例えば被加工材の加工面に対し交差する方向の壁があるような場合でも、当該壁面に把持部を干渉させることなく研磨部１０５による被加工材の研磨作業を支障なく行うことができる。
【００２７】
以上のべたように、本実施の形態によれば、片手および両手による操作が可能で、かつ把持し易く、滑り難い把持部１０７を有するサンダー１０１を提供することができる。
【００２８】
なお、本実施の形態では、前側の端部把持領域１０７Ｂを上から見て略半円形状に形成したが、後側の端部把持形状１０７Ｃと同様な棒状に形成しても構わない。
【図面の簡単な説明】
【００２９】
【図１】本発明の実施形態に係るサンダーの全体構成を示す斜視図である。
【図２】サンダーの全体構成を示す平面図である。
【図３】図２のＡ矢視図である。
【図４】図２のＢ矢視図である。
【図５】サンダーの把持部を片手で把持する態様を示す。
【図６】サンダーの把持部を両手で把持する態様を示す。
【符号の説明】
【００３０】
１０１  サンダー
１０３  モータハウジング
１０３ａ  方形収容部
１０３ｂ  円筒収容部
１０５  研磨部
１０７  把持部
１０７Ａ  中央把持領域（第１の把持領域）
１０７Ａａ  側面部
１０７Ｂ  前側の端部把持領域（第２の把持領域）
１０７Ｃ  後側の端部把持領域（第３の把持領域）
１０９  スイッチ
１１１  引出口
１１３  吸気口
１１５  窪み
１１７  窪み
【図１】
2008284657.tif 000003
【図２】
2008284657.tif 000004
【図３】
2008284657.tif 000005
【図４】
2008284657.tif 000006
【図５】
2008284657.tif 000007
【図６】
2008284657.tif 000008